(57)【要約】【課題】  装置の上方を有効利用して、デッドスペースの削減を図ることのできる、画像形成装置を提供すること。【解決手段】  プリンタ２と、そのプリンタ２の上方に配置されるフラットベッドスキャナ３とを備える複合機１において、フラットベッドスキャナ３の原稿台５３のガラス面５５を開閉自在に覆う原稿押さえカバー５４の上面に、原稿押さえカバー５４がガラス面５５に対して閉じた状態で、水平方向に平坦に展開されるテーブル面５８と、テーブル面５８の周端部において、テーブル面５８から上方に少し突出するような枠形状に形成され、テーブル面５８の外周を囲む縁壁５９とを形成する。テーブル面５８を、物置台として活用することができ、また、テーブル面５８に載置された物が、テーブル面５８から落下することを、縁壁５９によって防止することができる。【選択図】    図１
2006276480.tif 000002
【特許請求の範囲】
【請求項１】
原稿が載置されるフラットなスキャン面および前記スキャン面を開閉自在に覆うカバーを有するフラットベッドスキャナと、
前記フラットベッドスキャナの下方に配置され、前記フラットベッドスキャナによりスキャンされた情報に基づいて、記録媒体に画像を形成することのできる画像形成ユニットとを備え、
前記カバーの上面には、前記カバーが前記スキャン面に対して閉じた状態で、水平方向に展開される平滑面と、前記平滑面を囲むように前記平滑面の周端部に設けられ、前記平滑面から上方に突出する壁部とが形成されていることを特徴とする、画像形成装置。
【請求項２】
前記カバーの上面には、画像形成装置を操作するための操作パネルが設けられていることを特徴とする、請求項１に記載の画像形成装置。
【請求項３】
前記操作パネルは、前記カバーの上面において、前記壁部によって囲まれる前記平滑面の外方に配置されていることを特徴とする、請求項２に記載の画像形成装置。
【請求項４】
前記操作パネルの少なくとも一部は、上下方向において、前記スキャン面と対向配置されていることを特徴とする、請求項２または３に記載の画像形成装置。
【請求項５】
前記カバーは、その一方側が回動自在に支持されており、その一方側を支点として他方側が上下方向に移動することにより、前記スキャン面を開閉し、
前記操作パネルは、前記平滑面よりも他方側に配置されていることを特徴とする、請求項２ないし４のいずれかに記載の画像形成装置。
【請求項６】
前記操作パネルは、防水加工されていることを特徴とする、請求項２ないし５のいずれかに記載の画像形成装置。
【発明の詳細な説明】
【技術分野】
【０００１】
本発明は、複写機、デジタル複合機、プリンタなどとして使用される画像形成装置に関する。
【背景技術】
【０００２】
フラットベッドタイプのスキャナユニットと、レーザプリンタとして構成されるプリンタ本体とを備え、スキャナ機能、コピー機能、プリント機能、ファクシミリ機能、ネットワーク通信機能などの種々の機能を有する複合機が知られている（たとえば、特許文献１参照。）。
このような複合機は、限られたスペースで種々の機能が要求されるＳＯＨＯ（Ｓｍａｌｌ  Ｏｆｆｉｃｅ  Ｈｏｍｅ  Ｏｆｆｉｃｅ）などでの活用が期待されており、ＳＯＨＯでの使用に適するように、その外形寸法を小さくして、装置をコンパクトにするための研究開発が進められている。
【特許文献１】特開２００４−２１４８０３号公報
【発明の開示】
【発明が解決しようとする課題】
【０００３】
しかるに、限られたスペースを有効利用するには、単に外形寸法を小さくして、装置をコンパクトにすればよいというものではなく、その装置を設置したことによるデッドスペースをいかに小さくするかが、非常に重要となる。
しかし、複合機において、スキャナユニットは、スキャナ操作やコピー操作のために、その上方を開放しておく必要がある一方で、スキャナ機能やコピー機能は、使用の仕方によっては使用頻度が少なく、そのような場合には、スキャナユニットの上方が有効利用されずにデッドスペースとなる。
【０００４】
本発明の目的は、装置の上方を有効利用して、デッドスペースの削減を図ることのできる、画像形成装置を提供することにある。
【課題を解決するための手段】
【０００５】
上記目的を達成するため、請求項１に記載の発明は、原稿が載置されるフラットなスキャン面および前記スキャン面を開閉自在に覆うカバーを有するフラットベッドスキャナと、前記フラットベッドスキャナの下方に配置され、前記フラットベッドスキャナによりスキャンされた情報に基づいて、記録媒体に画像を形成することのできる画像形成ユニットとを備え、前記カバーの上面には、前記カバーが前記スキャン面に対して閉じた状態で、水平方向に展開される平滑面と、前記平滑面を囲むように前記平滑面の周端部に設けられ、前記平滑面から上方に突出する壁部とが形成されていることを特徴としている。
【０００６】
このような構成によると、フラットベッドスキャナのカバーの上面には、平滑面が形成されているので、その平滑面を、物置台として活用することができる。また、平滑面は壁部に囲まれているため、平滑面に載置された物が、平滑面から落下することを壁部によって防止することができる。その結果、装置の上方を有効利用して、デッドスペースの削減を図ることができる。
【０００７】
また、請求項２に記載の発明は、請求項１に記載の発明において、前記カバーの上面には、画像形成装置を操作するための操作パネルが設けられていることを特徴としている。
操作パネルがスキャナ面側に設けられていると、開閉されるカバーと操作パネルとの間に隙間が生じて、その隙間に、平滑面に載置された物に起因する塵埃が入り込み、スキャナ面を汚染するおそれがある。
【０００８】
しかし、このような構成によると、カバーの上面に平滑面とともに操作パネルが設けられているので、そのような隙間を生じることがなく、スキャナ面が汚染されることを防止することができる。
また、請求項３に記載の発明は、請求項２に記載の発明において、前記操作パネルは、前記カバーの上面において、前記壁部によって囲まれる前記平滑面の外方に配置されていることを特徴としている。
【０００９】
このような構成によると、操作パネルと平滑面とが、壁部によって仕切られるので、操作パネルが平滑面に物を載置するときの障害とならず、かつ、平滑面に載置した物に起因する塵埃が操作パネルに付着することを防止することができる。
また、請求項４に記載の発明は、請求項２または３に記載の発明において、前記操作パネルの少なくとも一部は、上下方向において、前記スキャン面と対向配置されていることを特徴としている。
【００１０】
このような構成によると、操作パネルの少なくとも一部が上下方向においてスキャン面と対向配置しているので、スキャン面を広く確保しつつ、フラットベッドスキャナのコンパクト化を図ることができる。
また、請求項５に記載の発明は、請求項２ないし４のいずれかに記載の発明において、前記カバーは、その一方側が回動自在に支持されており、その一方側を支点として他方側が上下方向に移動することにより、前記スキャン面を開閉し、前記操作パネルは、前記平滑面よりも他方側に配置されていることを特徴としている。
【００１１】
このような構成によると、カバーの開閉と操作パネルに対するアクセスとの両方を、円滑に操作することができる。そのため、装置の操作性の向上を図ることができる。
また、平滑面に物を載置したときに操作パネルが物の影となってしまって、操作パネルの操作性が悪化してしまうことも防止することができる。
また、請求項６に記載の発明は、請求項２ないし５のいずれかに記載の発明において、前記操作パネルは、防水加工されていることを特徴としている。
【００１２】
このような構成によると、操作パネルが防水加工されているので、平滑面に飲料容器などを載置した場合に、その飲料容器内の飲料がこぼれても、操作パネルを飲料の汚染から保護することができる。特に請求項３に記載の構成を兼ね備えている場合、操作パネルが壁部によって囲まれる平滑面の外方にあることも有効に機能して、操作パネルを飲料の汚染から保護することを、一層効果的に達成することができる。
【発明の効果】
【００１３】
請求項１に記載の発明によれば、装置の上方を有効利用して、デッドスペースの削減を図ることができる。
請求項２に記載の発明によれば、スキャナ面が汚染されることを防止することができる。
請求項３に記載の発明によれば、操作パネルが平滑面に物を載置するときの障害とならず、かつ、平滑面に載置した物に起因する塵埃が操作パネルに付着することを防止することができる。
【００１４】
請求項４に記載の発明によれば、スキャン面を広く確保しつつ、フラットベッドスキャナのコンパクト化を図ることができる。
請求項５に記載の発明によれば、装置の操作性の向上を図ることができる。
請求項６に記載の発明によれば、飲料容器内の飲料がこぼれても、操作パネルを飲料の汚染から保護することができる。
【発明を実施するための最良の形態】
【００１５】
Ｉ．複合機全体構成
図１は、本発明の画像形成装置の一実施形態としての複合機の正面側斜視図（原稿押さえカバー閉状態）、図２は、図１に示す複合機の正面側斜視図（原稿押さえカバー開状態）、図３は、図１に示す複合機の側面図、図４は、図１に示す複合機の拡大側断面図、図５は、図１に示す複合機のフラットベッドスキャナの平面図、図６は、図５に示すフラットベッドスキャナの要部側断面図、図７は、図１に示す複合機の高さ調整機構部を示す要部構成図である。
【００１６】
図３において、この複合機１は、画像形成ユニットとしてのプリンタ２と、プリンタ２の上方に配置される画像読取ユニットとしてのフラットベッドスキャナ３と、プリンタ２とフラットベッドスキャナ３とを連結する連結部４とを備えている。この複合機１は、プリント機能、スキャナ機能、コピー機能、ファクシミリ機能、ネットワーク通信機能などの各種機能を備えている。
ＩＩ．プリンタ
Ａ．プリンタ全体構成
図１および図４に示すように、このプリンタ２は、中間転写タンデムタイプのカラーレーザプリンタであって、ケーシング５と、そのケーシング５に設けられる、給紙部６、エンジン部７および排紙部８とを備えている。
【００１７】
なお、以下の説明において、図１における取っ手１１が設けられている正面側を前側、その反対側の背面側を後側とする。
Ｂ．ケーシング
ケーシング５は、硬質の樹脂からなり、図１に示すように、平面視矩形状のボックス形状に形成されている。ケーシング５内は、上下方向に区画されており、その上部が、給紙部６、エンジン部７および排紙部８を収容するプリンタ収容部９として形成され、その下部が、予備の現像カートリッジ２５や用紙１５などを収容するアクセサリ収容部１０として形成されている。
【００１８】
プリンタ収容部９の正面には、後述するプロセスユニット２１を交換するための開閉可能な上側フロントカバー７９が設けられている。上側フロントカバー７９は、その下端部がヒンジ８０（図４参照）を介してプリンタ収容部９に回動自在に取り付けられており、ヒンジ８０（図４参照）を支点として、開閉される。なお、上側フロントカバー７９には、図示しないロック機構が設けられており、常には、ロック機構のロックにより開閉動作が規制され、閉鎖状態が保持されている。これにより、後述するように、常には、上側の取っ手１１（後述）を把持して、ケーシング５を自由な方向へ移動させることができ、また、ロック機構のロックを解除すれば、上側フロントカバー７９の開閉動作が許容され、上側の取っ手１１（後述）を把持して、上側フロントカバー７９を開動作させて、プロセスユニット２１を着脱させることができる。
【００１９】
また、プリンタ収容部９の背面には、図４に示すように、背面視略矩形状の開口部８４が開口されており、その開口部８４を塞ぐように開閉可能な蓋部としてのリヤカバー８５が設けられている。リヤカバー８５は、その下端部がヒンジ８６を介してプリンタ収容部９に回動自在に取り付けられており、ヒンジ８６を支点として、開口部８４に対して開閉される。
【００２０】
また、アクセサリ収容部１０の正面には、図１に示すように、アクセサリ収容部１０内を開放するための開閉可能な下側フロントカバー８１が設けられている。下側フロントカバー８１は、その下端部がヒンジ８２（図４参照）を介してアクセサリ収容部１０に回動自在に取り付けられており、ヒンジ８２（図４参照）を支点として、開閉される。
また、このケーシング５には、２つの取っ手１１が設けられている。これら取っ手１１は、略弓形の金具からなり、ケーシング５の正面に、上下方向に間隔を隔てて２つ取り付けられている。上側の取っ手１１は、ケーシング５の正面における上側フロントカバー７９の上部に取り付けられている。また、下側の取っ手１１は、ケーシング５の正面における上側フロントカバー７９の下部であって、給紙カセット１６（後述）に取り付けられている。
【００２１】
そして、このケーシング５は、外枠部材１２によって移動可能に支持されている。
外枠部材１２は、側面視逆Ｕ字形状の側杆１３と、側杆１３の各下端部（遊端部）に設けられるキャスタ１４とを備えている。側杆１３は、ケーシング５の前後方向および上下方向に直交する方向（以下、幅方向とする。）の両側にそれぞれ設けられている。各側杆１３は、ケーシング５の側面に、その側面の前端、上端および後端に沿って取り付けられており、各側杆１３の下端部が、ケーシング５の底面よりも下方に配置されている。各キャスタ１４は、側杆１３の下端部において、水平方向に３６０°回転可能に設けられている。
【００２２】
これによって、ケーシング５は、幅方向両側に取り付けられる外枠部材１２によって、床から持ち上げられるように支持され、上側の取っ手１１を把持して、引っ張るかまたは押圧すれば、各キャスタ１４の回転により、自由な方向へ移動させることができる。
また、ケーシング５内の幅方向両側には、図３および図７に示すように、後述する２つの支柱６５の各挿入杆６７を上下方向にスライド可能に受け入れる４つの受入固定部としての挿入筒部７１が設けられている。各挿入筒部７１は、上下方向に沿って配置され、各支柱６５に対応してケーシング５の幅方向両側に２つずつ設けられている。幅方向同一側に設けられる２つの挿入筒部７１は、互いに間隔を隔てて、一方が前後方向後側、他方が前後方向中央に配置されている。
【００２３】
また、ケーシング５内の幅方向両側には、前側の挿入筒部７１の上方であって、挿入杆６７の近傍に、高さ調整機構部７２がそれぞれ設けられている。高さ調整機構部７２は、係合部材７３と付勢ばね７４とを備えている。
係合部材７３は、ケーシング５において幅方向に沿ってスライド可能に支持されており、ケーシング５に形成される貫通孔から外側に露出する円板形状の押圧板７５と、押圧板７５からケーシング５の幅方向内側方向に突出する鉤部７６と、鉤部７６の内側端部から突出するばね係止部７７とを一体的に備えている。
【００２４】
鉤部７６は、ケーシング５の幅方向内側方向に延び、挿入杆６７を横切った後、その先端部が、折り返されて、ケーシング５の幅方向外側方向に向かい、後述する挿入杆６７の位置調整孔６９に係止する。
また、ケーシング５には、ばね係止部７７に対して、ケーシング５の幅方向内側において間隔を隔てて対向配置されるばね固定部７８が設けられている。
【００２５】
付勢ばね７４は、圧縮ばねからなり、その一端がばね固定部７８に固定され、その他端がばね係止部７７に係止するように、幅方向に沿って配置されている。
Ｃ．給紙部
給紙部６は、図４に示すように、ケーシング５のプリンタ収容部９において、プリンタ収容部９の下部であって、エンジン部７の下方に配置されている。
【００２６】
この給紙部６は、記録媒体としての用紙１５が収容される給紙カセット１６と、給紙カセット１６内に配置される用紙押圧板１７と、給紙カセット１６の後端部上方に配置される給紙ローラ１８とを備えている。
給紙カセット１６は、上側が開放される用紙１５を収容可能な有底枠体をなし、ケーシング５のプリンタ収容部９に対して、その上側フロントカバー７９から前後方向に沿って着脱自在に装着されている。そのため、給紙カセット１６は、下側の取っ手１１を把持して、プリンタ収容部９に対して着脱させることができる。
【００２７】
用紙押圧板１７は、給紙カセット１６内において、前後方向途中から後端部にわたって設けられている。この用紙押圧板１７は、その前端部が給紙カセット１６の上面に回転可能に支持されるとともに、その後端部の下面が、押圧ばね１９によって上方に付勢されている。
給紙ローラ１８は、押圧ばね１９によって付勢される用紙押圧板１７の後端部と、対向配置されている。
【００２８】
この給紙部６においては、給紙カセット１６内の用紙押圧板１７の上に、用紙１５が前後方向に沿って載置されており、押圧ばね１９の付勢力に抗して上下方向に沿って積層されている。用紙押圧板１７に積層される最上位の用紙１５は、押圧ばね１９の付勢力によって給紙ローラ１８と接触するように押圧され、その給紙ローラ１８の回転によって１枚毎に、エンジン部７へ向けて給紙される。
Ｄ．エンジン部
エンジン部７は、スキャナ部２０、プロセスユニット２１、転写部２２、定着部２３および搬送パス２４を備えている。
ａ．スキャナ部
スキャナ部２０は、ケーシング５のプリンタ収容部９において、給紙部６の上方に配置されている。スキャナ部２０は、図示しないが、周知のレーザ露光装置であり、レーザ発光部、回転駆動されるポリゴンミラー、複数のレンズおよび複数の反射鏡を備えている。
【００２９】
そして、スキャナ部２０では、レーザ発光部から発光される画像データに基づくレーザビームを、ポリゴンミラー、複数のレンズおよび複数の反射鏡に順次通過または反射させて、矢印で示すように、各プロセスユニット２１の感光ドラム（後述）の表面に、それぞれ高速走査にて照射する。
ｂ．プロセスユニット
プロセスユニット２１は、ケーシング５のプリンタ収容部９において、スキャナ部２０の上方に配置され、異なる色毎に複数（４つ）設けられている。より具体的には、プロセスユニット２１は、イエロープロセスユニット２１Ｙ、マゼンタプロセスユニット２１Ｍ、シアンプロセスユニット２１Ｃおよびブラックプロセスユニット２１Ｋの４つのプロセスユニット２１からなり、これら各プロセスユニット２１が、プリンタ収容部９において、順次前方から後方に向けて、前後方向に沿って重なるように、互いに間隔を隔てて並列配置されている。各プロセスユニット２１は、上側フロントカバー７９の開閉動作により、プリンタ収容部９内に着脱自在に装着される。
【００３０】
各プロセスユニット２１は、現像カートリッジ２５、感光ドラム２６、スコロトロン型帯電器２７およびドラムクリーニングローラ２８を備えている。
現像カートリッジ２５は、トナー収容部２９、供給ローラ３０、現像ローラ３１および層厚規制ブレード３２を備えている。
トナー収容部２９は、現像カートリッジ２５の下側の内部空間として形成されており、トナー収容部２９内を攪拌するアジテータ３３を備えている。
【００３１】
また、トナー収容部２９には、各プロセスユニット２１毎に、イエロープロセスユニット２１Ｙにはイエロー、マゼンタプロセスユニット２１Ｍにはマゼンタ、シアンプロセスユニット２１Ｃにはシアン、および、ブラックプロセスユニット２１Ｋにはブラックの色を有する正帯電性の非磁性１成分のトナーがそれぞれ充填されている。
このトナーは、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる略球形の重合トナーが使用されている。なお、このようなトナーには、各色に対応した着色剤やワックスが配合され、シリカなどの外添剤を添加することによって流動性の向上が図られており、その粒子径は、約６〜１０μｍ程度とされている。
【００３２】
そして、トナー収容部２９のトナーは、トナー収容部２９に設けられたアジテータ３３の回転および撹拌によって、トナー収容部２９の上側に開口されたトナー供給口から供給ローラ３０に向けて放出される。
供給ローラ３０は、トナー供給口の上方において、回転可能に設けられている。この供給ローラ３０は、金属製のローラ軸と、そのローラ軸を被覆する導電性のスポンジローラとを備えている。
【００３３】
現像ローラ３１は、供給ローラ３０の後方上側において、供給ローラ３０と対向するように回転可能に設けられている。現像ローラ３１は、供給ローラ３０がある程度圧縮される状態で、供給ローラ３０と接触している。
現像ローラ３１は、金属製のローラ軸と、そのローラ軸を被覆する導電性のゴムローラとを備えている。より具体的には、現像ローラ３１のゴムローラは、カーボン微粒子などを含む導電性のウレタンゴム、シリコーンゴムまたはＥＰＤＭゴムなどからなる弾性ローラと、その弾性ローラの表面に被覆される、ウレタンゴム、ウレタン樹脂、ポリイミド樹脂などが主成分とされるコート層との２層から形成されている。また、この現像ローラ３１は、その上側部分が現像カートリッジ２５の上側部分に形成される開口部から露出するように配置され、現像時には、図示しない電源から現像バイアスが印加される。
【００３４】
層厚規制ブレード３２は、金属の板ばね材からなるブレード本体の先端部に、絶縁性のシリコーンゴムからなる断面半円形状の押圧部を備えており、ブレード本体の一端部が、現像ローラ３１の下方近傍において現像カートリッジ２５に支持され、押圧部がブレード本体の弾性力によって現像ローラ３１の表面に圧接されるように、設けられている。
そして、トナー供給口から放出されるトナーは、供給ローラ３０の回転により、現像ローラ３１に供給され、このとき、供給ローラ３０と現像ローラ３１との間で正極性に摩擦帯電され、さらに、現像ローラ３１の上に供給されたトナーは、現像ローラ３１の回転に伴って、層厚規制ブレード３２の押圧部と現像ローラ３１との間に進入し、一定厚さの薄層として現像ローラ３１の上に担持される。
【００３５】
感光ドラム２６は、現像ローラ３１の後方上側において、その現像ローラ３１と接触するような状態で、プロセスユニット２１に回転可能に設けられている。感光ドラム２６は、ドラム本体が接地されるとともに、その表面が、ポリカーボネートを主成分とする有機感光体の感光層によって形成されている。また、感光ドラム２６は、その上側部分がプロセスユニット２１の上側部分に形成される開口部から露出するように配置されている。
【００３６】
スコロトロン型帯電器２７は、感光ドラム２６の後方下側に、感光ドラム２６と接触しないように間隔を隔てて設けられている。このスコロトロン型帯電器２７は、タングステンの帯電ワイヤからコロナ放電を発生させる正帯電性のスコロトロン型帯電器であり、感光ドラム２６の表面を、一様に正極性に帯電させるように、プロセスユニット２１に固定されている。
【００３７】
ドラムクリーニングローラ２８は、感光ドラム２６の回転方向におけるスコロトロン型帯電器２７の上流側において、感光ドラム２６と接触するように、プロセスユニット２１に回転可能に設けられている。ドラムクリーニングローラ２８は、金属製のローラ軸と、そのローラ軸を被覆する導電性のゴムローラとを備え、クリーニング時には、図示しない電源からクリーニングバイアスが印加される。
【００３８】
そして、プロセスユニット２１では、各色のトナーは、次のように露光および現像される。すなわち、まず、感光ドラム２６の回転によって、その感光ドラム２６の表面が、スコロトロン型帯電器２７により一様に正帯電された後、スキャナ部２０からのレーザビームの走査により露光され、画像データに基づく静電潜像が形成される。次いで、現像ローラ３１の回転により、現像ローラ３１の上に担持されかつ正帯電されているトナーが、感光ドラム２６に対向して接触するときに、感光ドラム２６の表面に形成されている静電潜像、すなわち、一様に正帯電されている感光ドラム２６の表面のうち、レーザビームの走査により露光され電位が下がっている部分に供給され、選択的に担持されることによってトナー像が形成され、これによって反転現像が達成される。
ｃ．転写部
転写部２２は、ケーシング５のプリンタ収容部９において、前後方向に沿って並列配置される各プロセスユニット２１と対向するように、各プロセスユニット２１の上方に配置されている。転写部２２は、中間転写ユニット３４とベルトクリーナユニット３５とを備えている。
【００３９】
中間転写ユニット３４は、前後方向に沿って並列配置される各感光ドラム２６と対向するように、前後方向に沿って設けられ、駆動ローラ３７と、従動ローラ３８と、転写ベルト３９と、１次転写ローラ４０と、２次転写ローラ４１とを備えている。
駆動ローラ３７は、最後位のブラックプロセスユニット２１Ｋの感光ドラム２６の後方に配置されている。従動ローラ３８は、最前位のイエロープロセスユニット２１Ｙの感光ドラム２６の前方に配置されている。
【００４０】
転写ベルト３９は、カーボンなどの導電性粒子が分散された導電性のポリカーボネートやポリイミドなどからなり、駆動ローラ３７と従動ローラ３８との間に巻回されている。転写ベルト３９は、巻回状態の下側外面が、各プロセスユニット２１の感光ドラム２６のすべてと接触するように配置されている。
そして、駆動ローラ３７の駆動により、従動ローラ３８が従動され、転写ベルト３９が、これら駆動ローラ３７と従動ローラ３８との間を、各プロセスユニット２１の感光ドラム２６と接触する下側外面において、感光ドラム２６と同方向に回転するように、周回移動される。
【００４１】
１次転写ローラ４０は、巻回状態の転写ベルト３９内において、各プロセスユニット２１の感光ドラム２６と、転写ベルト３９を挟んで対向するように、それぞれ設けられている。１次転写ローラ４０は、金属製のローラ軸と、その金属製のローラ軸に被覆される導電性のゴムローラとを備えている。また、１次転写ローラ４０は、転写ベルト３９の下側内面と接触するように配置され、その接触面において、転写ベルト３９の周回移動方向と同方向に回転するように設けられており、転写時には、図示しない電源から１次転写バイアスが印加される。
【００４２】
２次転写ローラ４１は、巻回状態の転写ベルト３９の外側であって、駆動ローラ３７の後方において、その駆動ローラ３７と転写ベルト３９を挟んで対向するように設けられている。２次転写ローラ４１は、金属製のローラ軸と、その金属製のローラ軸に被覆される導電性のゴムローラとを備えている。また、２次転写ローラ４１は、転写ベルト３９の後側外面と接触するように配置され、その接触面において、転写ベルト３９の周回移動方向と同方向に回転するように設けられており、転写時には、図示しない電源から２次転写バイアスが印加される。
【００４３】
ベルトクリーナユニット３５は、転写ベルト３９における各感光ドラム２６の反対側（上側）であって、駆動ローラ３７と従動ローラ３８との間に配置されている。ベルトクリーナユニット３５は、クリーニングブラシ４２、回収ローラ４３、スクレーパ４４および回収ボックス４５を備えている。
クリーニングブラシ４２は、金属製のブラシ軸と、その金属製のブラシ軸の周りに設けられる導電性のブラシとを備えている。このクリーニングブラシ４２は、転写ベルト３９の上側外面と接触するように配置され、その接触部において、転写ベルト３９の周回移動方向と同方向に回転するように、ベルトクリーナユニット３５に回転可能に設けられており、クリーニング時には、図示しない電源から１次クリーニングバイアスが印加される。
【００４４】
回収ローラ４３は、金属製のローラ軸と、その金属製のローラ軸に被覆される導電性のゴムローラとを備えている。この回収ローラ４３は、クリーニングブラシ４２の後側において、クリーニングブラシ４２と接触するように配置され、ベルトクリーナユニット３５に回転可能に設けられており、クリーニング時には、図示しない電源から２次クリーニングバイアスが印加される。
【００４５】
回収ボックス４５は、回収ローラ４３の後方に配置され、その回収ローラ４３と対向する部分が開口されており、その開口部分の近傍に、回収ローラ４３の表面に圧接されるスクレーパ４４が設けられている。
ｄ．定着部
定着部２３は、ケーシング５のプリンタ収容部９において、中間転写ユニット３４の駆動ローラ３７と２次転写ローラ４１との間の２次転写位置に対して上方に配置されている。定着部２３は、第１加熱ローラ４６および第２加熱ローラ４７を備えている。
【００４６】
第１加熱ローラ４６は、プリンタ収容部９において回転可能に支持され、アルミニウムなどの金属素管と、その金属素管内に配置されるハロゲンランプとを備えている。なお、金属素管の外周面には、トナーの付着を防止するための表面処理が施されている。
第２加熱ローラ４７は、定着部２３を通過する用紙１５を前後方向に挟んで、第１加熱ローラ４６の後方において対向配置されている。この第２加熱ローラ４７も、アルミニウムなどの金属素管と、その金属素管内に配置されるハロゲンランプとを備えており、第１加熱ローラ４６を押圧するように、プリンタ収容部９において回転可能に支持されている。
ｅ．搬送パス
搬送パス２４は、ケーシング５のプリンタ収容部９において、給紙部６から、最後位のブラックプロセスユニット２１Ｋの後方を上方に向けて横切り、定着部２３の第１加熱ローラ４６と第２加熱ローラ４７との間を通過して、排紙部８に至る経路として形成されている。
【００４７】
搬送パス２４において、給紙部６と２次転写位置との間には、１対のレジストローラ４８が設けられている。また、定着部２３と排紙部８との間には、１対の搬送ローラ４９が設けられている。
ｆ．エンジン部における画像形成
そして、給紙部６から給紙された用紙１５は、搬送パス２４において、下方から上方に向けて搬送され、レジストローラ４８によるレジスト後に、２次転写位置に向けて搬送される。
【００４８】
一方、転写部２２では、駆動ローラ３７の駆動および従動ローラ３８の従動により、転写ベルト３９が周回移動され、その周回移動される転写ベルト３９の上には、各感光ドラム２６とそれに対向する１次転写ローラ４０との間の１次転写位置を通過するときに、各感光ドラム２６に形成されている各色のトナー像が順次転写され、これにより、転写ベルト３９の上にカラー画像が形成される。
【００４９】
すなわち、たとえば、イエロープロセスユニット２１Ｙの感光ドラム２６の上に形成されたイエローのトナー像が、転写ベルト３９に転写されると、次いで、マゼンタプロセスユニット２１Ｍの感光ドラム２６の上に形成されたマゼンタのトナー像が、既にイエローのトナー像が転写されている転写ベルト３９に重ねて転写され、以下同様の転写動作により、シアンプロセスユニット２１Ｃによって形成されるシアンのトナー像、ブラックプロセスユニット２１Ｋによって形成されるブラックのトナー像が重ねて転写され、これによって、転写ベルト３９にカラー画像が形成される。
【００５０】
そして、レジスト後に２次転写位置に向けて搬送された用紙１５が、駆動ローラ３７と２次転写ローラ４１との間を通過するときに、転写ベルト３９の上に形成されたカラー画像が、用紙１５に一括転写される。
その後、カラー画像が形成された用紙１５は、定着部２３に搬送され、第１加熱ローラ４６および第２加熱ローラ４７によって、その用紙１５の上に転写されたカラー画像を、用紙１５がこれら第１加熱ローラ４６および第２加熱ローラ４７との間を通過する間に熱定着させる。熱定着された用紙１５は、搬送ローラ４９によって、排紙部８に搬送される。これによって、複合機１のプリント機能が達成される。
【００５１】
なお、用紙１５に各色のトナー像が転写された後に、感光ドラム２６の表面に残留したトナーは、ドラムクリーニングローラ２８によって一時的に捕捉され、非画像形成時に感光ドラム２６上に戻されて、現像ローラ３１に回収されることにより、再度現像に使用される。
また、用紙１５にカラー画像が転写された後に、転写ベルト３９の表面に付着したトナーは、クリーニングブラシ４２と対向したときに、クリーニングブラシ４２に印加される１次クリーニングバイアスによって、クリーニングブラシ４２に付着される。その後、クリーニングブラシ４２に付着されたトナーは、回収ローラ４３と対向したときに、回収ローラ４３に印加される２次クリーニングバイアスによって、回収ローラ５２に付着され、次いで、スクレーパ４４によって掻き取られた後、回収ボックス４５に回収される。
Ｅ．排紙部
排紙部８は、ケーシング５のプリンタ収容部９において、エンジン部４の上方に配置されている。この排紙部８は、給紙部６と、上下方向において、エンジン部４を挟んで対向配置され、排紙ローラ５０と、記録媒体排出部としての排紙収容部５１とを備えている。
【００５２】
排紙ローラ５０は、定着部２３の上方であって、搬送パス２４の下流側端部に配置されている。排紙ローラ５０は、１対のローラからなり、定着部２３においてカラー画像が熱定着された用紙１５を、排紙収容部５１に向けて排紙する。
排紙収容部５１は、ケーシング５において、プリンタ収容部９の上部に形成されている。排紙収容部５１は、プリンタ収容部９の上部において、排紙される用紙１５を収容するために、前後方向に延びる空間を区画するように形成されている。この排紙収容部５１は、排紙される用紙１５を上下方向に積層して収容できる厚さで形成されている。また、排紙収容部５１の前方には、上側および前側が開放される取出口５２が形成されている。
【００５３】
排紙ローラ５０によって前方に向けて排紙された用紙１５は、排紙収容部５１内において、上下方向に積層される状態で保持される。そして、取出口５２から取り出すことができる。
ＩＩＩ．フラットベッドスキャナ
Ａ．フラットベッドスキャナ全体構成
図１および図２に示すように、フラットベッドスキャナ３は、原稿台５３と、原稿台５３に開閉自在に支持されるカバーとしての原稿押さえカバー５４とを備えている。
Ｂ．原稿台
原稿台５３は、平面視楕円形状の厚板に形成されており、その上面には、図２に示すように、原稿が載置されるスキャン面および原稿読取面としてのガラス面５５が形成されている。ガラス面５５は、原稿台５３の上面がフラットとなるように、原稿台５３にガラス板を埋設することにより、形成されている。このガラス面５５は、平面視長方形状をなし、その長手方向が、平面視楕円形状の原稿台５３の長径方向に沿って配置されている。
【００５４】
また、原稿台５３の下面には、図４に示すように、連結部４の支持台６４（後述）を相対回転可能に受ける受け部５６が形成されている。この受け部５６は、浅い凹状をなし、図５に示すように、平面視楕円形状の原稿台５３の短径よりもやや短い直径を有する底面視円形に形成されており、その円形の受け部５６の中心が、平面視楕円形状の原稿台５３の長径方向と短径方向とが交差する原稿台５３の中心に位置するように、配置されている。この受け部５６の周端部には、リング形状のボールベアリング６６（図６参照）が設けられている。
【００５５】
また、原稿台５３には、図２および図４に示すように、原稿を読み取るためのＣＣＤセンサ５７や、そのＣＣＤセンサ５７をガラス面５５と対向した状態で走査させるための走査モータ（図示せず）が内装されている。
ＣＣＤセンサ５７は、ガラス面５５の内側において前後方向に移動可能に支持されており、常には、ガラス面５５の後端に待機され、原稿読取時には、走査モータ（図示せず）によって、ガラス面５５と対向した状態で後側から前側に向けて走査される。
Ｃ．原稿押さえカバー
原稿押さえカバー５４は、図２に示すように、原稿台５３と同形の平面視楕円形状の薄板に形成されており、その上面には、図１に示すように、平滑面としてのテーブル面５８と、そのテーブル面５８の外周を囲む壁部としての縁壁５９が形成され、また、この複合機１を操作するための操作パネル６０が設けられている。
【００５６】
テーブル面５８は、原稿押さえカバー５４がガラス面５５に対して閉じた状態で、水平方向に平坦に展開される平滑面からなり、原稿押さえカバー５４の上面において、操作パネル６０が設けられる前端部から後側において全体的に形成されている。
縁壁５９は、テーブル面５８の周端部において、テーブル面５８から上方に少し突出するような枠形状に形成されている。すなわち、テーブル面５８は、縁壁５９から下方に少し窪む凹部となるように形成されている。
【００５７】
操作パネル６０は、原稿押さえカバー５４の上面において、縁壁５９によって囲まれるテーブル面５８の外方であって、原稿押さえカバー５４の前端部に設けられている。
この操作パネル６０は、平面視略三日月をなし、複合機１の動作状態などが表示される液晶パネルや、各条件を設定するユーザが操作可能なボタンなどを備えている。
また、この操作パネル６０は、図６に示すように、その後端部が、ガラス面５５の前端部と上下方向において対向配置されている。
【００５８】
また、この操作パネル６０の上面には、撥水性の透明フィルム６１が貼着されている。このように、撥水性の透明フィルム６１によって操作パネル６０が被覆されることにより、操作パネル６０に防水加工が施される。
また、原稿押さえカバー５４は、図２および図４に示すように、その後端部がヒンジ６２を介して原稿台５３の後端部に回動自在に支持されている。
【００５９】
そして、原稿押さえカバー５４は、その後端部のヒンジ６２を支点として、その前端部が上下方向に揺動する。原稿押さえカバー５４の前端部を上方に持ち上げると、図２に示すように、原稿台５３のガラス面５５が開放され、原稿押さえカバー５４の前端部を下方に降ろすと、図１に示すように、原稿台５３のガラス面５５が被覆される。これによって、原稿押さえカバー５４は、原稿台５３のガラス面５５を開閉自在に被覆する。
【００６０】
なお、この原稿押さえカバー５４の下面には、ガラス面５５と対向するように、平面視長方形状のクッションシート６３（図２参照）が貼着されている。
Ｄ．フラットベッドスキャナにおける原稿読取
そして、このフラットベッドスキャナ３では、原稿押さえカバー５４の前端部を上方に持ち上げて、ガラス面５５に原稿が載置されるようにセットし、その後、原稿押さえカバー５４の前端部を下方に降ろして、操作パネル６０でボタンを操作する。すると、ＣＣＤセンサ５７が、走査モータ（図示せず）によって、ガラス面５５に載置される原稿と対向した状態で後側から前側に向けて走査され、原稿の画像情報が読み取られる。これによって、複合機１のスキャナ機能が達成される。
【００６１】
原稿の読み取り終了後には、再び、原稿押さえカバー５４の前端部を上方に持ち上げて、ガラス面５５上から原稿を取り去る。また、ＣＣＤセンサ５７は、走査が終了すると、走査モータ（図示せず）によって、自動的にガラス面５５の後端に移動し、待機する。
ＣＣＤセンサ５７によって読み取られた原稿の画像情報は、プリンタ２に送信され、プリンタ２では、その画像情報に基づいて、画像データを作成し、上記したように、用紙１５にカラー画像を形成する。これによって、複合機１のコピー機能が達成される。
Ｄ．フラットベッドスキャナの特徴点
このフラットベッドスキャナ３では、原稿押さえカバー５４の上面には、テーブル面５８が形成されているので、そのテーブル面５８を、物置台として活用することができる。また、テーブル面５８は縁壁５９に囲まれているため、テーブル面５８に載置された物が、テーブル面５８から落下することを、縁壁５９によって防止することができる。その結果、複合機１の上方を有効利用して、デッドスペースの削減を図ることができる。
【００６２】
操作パネル６０が原稿台５３側に設けられていると、開閉される原稿押さえカバー５４と操作パネル６０との間に隙間が生じて、その隙間に、テーブル面５８に載置された物に起因する塵埃が入り込み、ガラス面５５を汚染するおそれがある。
しかし、このフラットベッドスキャナ３では、操作パネル６０がテーブル面５８とともに原稿押さえカバー５４の上面に設けられているので、そのような隙間を生じることがなく、ガラス面５５が汚染されることを防止することができる。
【００６３】
しかも、操作パネル６０は、原稿押さえカバー５４の上面において、縁壁５９によって囲まれるテーブル面５８の外方に配置されている。そのため、操作パネル６０とテーブル面５８とが、縁壁５９によって仕切られるので、操作パネル６０がテーブル面５８に物を載置するときの障害とならず、かつ、テーブル面５８に載置した物に起因する塵埃が操作パネル６０に付着することを防止することができる。
【００６４】
また、このフラットベッドスキャナ３では、操作パネル６０の後端部が、上下方向においてガラス面５５の前端部と対向配置されている。そのため、ガラス面５５の長手方向の面積を広く確保しつつ、フラットベッドスキャナ３のコンパクト化を図ることができる。
また、このフラットベッドスキャナ３では、原稿押さえカバー５４の後端部がヒンジ６２を介して原稿台５３の後端部に回動自在に支持されており、その後端部を支点として前端部が上下方向に移動することにより、ガラス面５５を開閉し、操作パネル６０が、テーブル面５８を挟んで、回動支点とされる後端部に対して、反対側の前端部に配置されている。そのため、原稿押さえカバー５４の開閉と操作パネル６０に対するアクセスとの両方を、円滑に操作することができる。その結果、複合機１の操作性の向上を図ることができる。また、テーブル面５８に物を載置したときに操作パネル６０が物の影となってしまって、操作パネル６０の操作性が悪化してしまうことも防止することができる。
【００６５】
また、このフラットベッドスキャナ３では、操作パネル６０が、防水加工されているので、テーブル面５８に飲料容器などを載置した場合に、その飲料容器内の飲料がこぼれても、操作パネル６０を飲料の汚染から保護することができる。特に、このフラットベッドスキャナ３では、操作パネル６０が縁壁５９によって囲まれるテーブル面５８の外方にあることも有効に機能して、操作パネル６０を飲料の汚染から保護することを、一層効果的に達成することができる。
ＩＶ．連結部
Ａ．連結部全体構成
連結部４は、図３および図７に示すように、プリンタ２とフラットベッドスキャナ３との間に配置され、支持台６４と支柱６５とを備えている。
Ｂ．支持台
支持台６４は、図３および図５に示すように、平面視円形をなし、その上面が、平坦に形成され、その下面が、支持台６４の中心が下方に向かって膨出するように断面三日月形状に湾曲する湾曲形状に形成されている。
【００６６】
この支持台６４は、図４に示すように、原稿台５３の下面に形成される受け部５６に、ボールベアリング６６を介して受けられている。支持台６４が受け部５６に受けられた状態では、円形の支持台６４の中心が、長径方向と短径方向とが交差する原稿台５３の中心に位置するように、配置される。
原稿台５３の受け部５６は、ボールベアリング６６を介して支持台６４に対して摺動可能に支持されるので、フラットベッドスキャナ３は、図５に示すように、支持台６４において、円形の支持台６４の中心の鉛直線を回転中心として、水平方向に３６０°回転可能に支持される。これによって、フラットベッドスキャナ３は、平面視楕円形状の長径方向と短径方向とが交差する中央を中心として、支持台６４に対して回転する。
Ｃ．支柱
支柱６５は、図３および図７に示すように、互いに間隔を隔てて平行する２つの挿入杆６７と、２つの挿入杆６７の上端部を連結する連結杆６８とが一体的に形成される側面視逆Ｕ字形状に形成されている。
【００６７】
支柱６５は、ケーシング５の幅方向両側にそれぞれ配置され、各支柱６５の２つの挿入杆６７は、前後方向沿って配置され、各挿入筒部７１にスライド自在に挿入されている。
各支柱６５の連結杆６８には、支持台６４の幅方向両側部が固定されている。これによって、支持台６４は、支柱６５によってプリンタ２のケーシング５に連結される。
各支柱６５の前側の挿入杆６７には、高さ調整機構部７２の鉤部７６が係止される位置調整孔６９が、上下方向に沿って互いに間隔を隔てて複数穿孔されている。
【００６８】
各連結杆６８の位置調整孔６９には、常には、付勢ばね７４の付勢力によって係合部材７３が幅方向外側に押圧されることにより、鉤部７６が係止されている。
そして、ケーシング５の幅方向両側の各押圧板７５を押圧すれば、各付勢ばね７４の付勢力の付勢力に抗して、各係合部材７３が幅方向内側に移動し、各鉤部７６が各連結杆６８の位置調整孔６９から離間する。すると、各連結杆６８は、挿入筒部７１に対してスライド可能となるので、連結部４に支持されているフラットベッドスキャナ３が、プリンタ２のケーシング５に対して上下方向に沿って位置変更が可能となる。
【００６９】
そして、その状態において、各連結杆６８を挿入筒部７１に対して上下方向にスライドさせて、フラットベッドスキャナ３の上下方向の高さを適宜調整し、最適の高さに対応する各位置調整孔６９を、各鉤部７６に対向させる。その後、各押圧板７５の押圧を解除すると、付勢ばね７４の付勢力により各係合部材７３が幅方向外側に移動し、各鉤部７６が各位置調整孔６９に係止され、これによって、フラットベッドスキャナ３が最適の上下方向高さに調整された状態で、連結部４を介して、プリンタ２のケーシング５に支持される。
Ｄ．連結部の特徴点
この複合機１では、上記したように、フラットベッドスキャナ３は、平面視楕円形状の長径方向と短径方向とが交差する中央を中心として、支持台６４に対して回転し、支持台６４は、支柱６５を介してプリンタ２に連結されている。そのため、連結部４によって、フラットベッドスキャナ３をプリンタ２に対して鉛直線を回転中心として回転させることができる。また、支柱６５の上下方向高さを、高さ調整機構部７２によって調整することにより、フラットベッドスキャナ３とプリンタ２との間の上下方向の距離を変更することにより、フラットベッドスキャナ３を最適の上下方向高さに調整することができる。そのため、操作性の向上を図ることができる。
【００７０】
また、フラットベッドスキャナ３は、平面視楕円形状の長径方向と短径方向とが交差する中央を中心として、支持台６４に対して回転するので、フラットベッドスキャナ３を回転させたときに、プリンタ２の上下方向の投影面からのはみ出しを低減することができる。
また、フラットベッドスキャナ３は、平面視楕円形状に形成されているので、特定の箇所を把持せずとも、どこの箇所を把持しても容易にフラットベッドスキャナ３を回転させることができる。
【００７１】
また、支持台６４に対してフラットベッドスキャナ３が回転するので、支持台６４がフラットベッドスキャナ３を相対回転不能に支持して、その支持台６４がプリンタ２に対して回転する場合に比べて、回転モーメントを低減することができ、フラットベッドスキャナ３の円滑な回転を確保して、操作性の向上を図ることができる。
また、平面視円形の支持台６４が、原稿台５３の受け部５６に受けられ、ボールベアリング６６を介して支持台６４に対して受け部５６が摺動することにより、支持台６４に対してフラットベッドスキャナ３が回転する。そのため、支持台６４によりフラットベッドスキャナ３を安定して支持しつつ、支持台６４に対するフラットベッドスキャナ３の円滑な回転を確保することができる。
【００７２】
また、フラットベッドスキャナ３では、平面視長方形状のガラス面５５の長手方向が、平面視楕円形状の原稿台５３の長径方向に沿って配置されているので、ガラス面５５の長手方向における広い面積を確保しつつ、フラットベッドスキャナ３の小型化を図ることができる。また、フラットベッドスキャナ３を回転させれば、フラットベッドスキャナ３の下方を大きく開放することができる。そのため、プリンタ２の排紙収容部５１の取出口５２からの用紙１５の取り出しを容易にすることができる。
【００７３】
なお、プリンタ２の排紙収容部５１は、プリンタ２の上部であって、フラットベッドスキャナ３の下方に配置されているが、フラットベッドスキャナ３を、プリンタ２に対して回転させたり、上下方向高さを変更することで、排紙収容部５１に排紙された用紙１５に対するアクセスの容易化を図ることができる。
とりわけ、この複合機１では、支柱６５が、前後方向途中から後方において、ケーシング５内の挿入筒部７１に挿入されている一方で、用紙１５が排紙ローラ５０によって後側から前側に向けて排紙されるので、支柱６５と干渉することなく、排紙収容部５１に排紙された用紙１５に、アクセスすることができる。
【００７４】
さらに、取出口５２は、排紙収容部５１の前方において、上側および前側が開放されるように開口されているので、フラットベッドスキャナ３がプリンタ２に対して最下位に位置された場合でも、その取出口５２から用紙１５を容易に取り出すことができる。その結果、フラットベッドスキャナ３のプリンタ２に対する最下位の位置を、より下方に位置させて装置の小型化を実現することができながら、排紙収容部５１に排紙された用紙１５に対するアクセスの容易化を図ることができる。
【００７５】
また、この連結部４においては、２つの支柱６５を介して、支持台６４とプリンタ２とを連結しているので、支持台６４の安定した支持を達成することができる。
とりわけ、２つの支柱６５は、プリンタ２のケーシング５の幅方向両側にそれぞれ設けられているので、支持台６４の安定した支持を達成することができながら、プリンタ２の排紙収容部５１への用紙１５の排紙、および、その排紙された用紙１５に対するアクセスが、２つの支柱６５によって阻害されることを、防止することができる。そのため、操作性の向上を図りつつ、フラットベッドスキャナ３を安定して支持することができる。
【００７６】
また、このプリンタ２では、用紙１５のジャムが生じた場合には、後側から前側に向けて排紙される用紙１５の排紙方向と反対側のケーシング５の背面において、リヤカバー８５を開閉させることで、背面に形成された開口部８４から、ジャムを生じた用紙３を容易に取り除くことができる。また、このとき、挿入筒部７１に受け入れられている支柱６５は、ケーシング５の幅方向両側にそれぞれ配置されているので、支柱６５と取り出される用紙１５との干渉を防止することができ、ジャムを生じた用紙１５の円滑な除去を達成することができる。
【００７７】
また、２つの支柱６５の各挿入杆６７は、各挿入筒部７１に対してスライド可能に受け入れられて、高さ調整機構部７２によって上下方向高さが調整された後に固定される。そのため、支柱６５自体が伸縮する場合と比べて、構成の簡略化および強度の向上を図ることができる。また、フラットベッドスキャナ３を支柱６５に対してスライドさせる場合には、支柱６５がフラットベッドスキャナ３から上方に突出する場合があるが、このようにすれば、支柱６５の各挿入杆６７がフラットベッドスキャナ３の各挿入筒部７１に受け入れられるので、そのような突出も防止することができる。
【図面の簡単な説明】
【００７８】
【図１】本発明の画像形成装置の一実施形態としての複合機の正面側斜視図（原稿押さえカバー閉状態である。
【図２】図１に示す複合機の正面側斜視図（原稿押さえカバー開状態）である。
【図３】図１に示す複合機の側面図である。
【図４】図１に示す複合機の側断面図である。
【図５】図１に示す複合機のフラットベッドスキャナの平面図である。
【図６】図５に示すフラットベッドスキャナの要部側断面図である。
【図７】図１に示す複合機の高さ調整機構部を示す要部構成図である。
【符号の説明】
【００７９】
１      複合機
２      プリンタ
３      フラットベッドスキャナ
１５    用紙
５４    原稿押さえカバー
５５    ガラス面
５８    テーブル面
５９    縁壁
６０    操作パネル
６１    透明フィルム
【図１】
2006276480.tif 000003
【図２】
2006276480.tif 000004
【図３】
2006276480.tif 000005
【図４】
2006276480.tif 000006
【図５】
2006276480.tif 000007
【図６】
2006276480.tif 000008
【図７】
2006276480.tif 000009